Podtech/llm-jp-corpus-v4-ja_patent huggingface dataset:
(57)【要約】　　　（修正有）【課題】携帯電話における外部オプション機器使用時の電池切れを防止し、同時にその携帯電話のバッテリーに補充電を可能にする接続機器（アダプター）を開発する。【解決手段】接続器具（アダプター）は、携帯電話のオプション機器接続部及び充電用機器接続部を備え付けて、オプション通信機器を使用している時にも同時に携帯電話のバッテリーに補充電できる機器接続口を兼ね備えている。【選択図】図２
0003100514.tif 000002
【実用新案登録請求の範囲】
【請求項１】
携帯電話用のオプション通信機器及びバッテリー充電用の接続器具で有って、そのオプション機器使用中でも同時に携帯電話のバッテリーに充電できる接続器具であり、更に予め充電用一次電池及び二次電池を収納でき、しかもオプション通信機器を接続できる機能を有する接続器具。
【考案の詳細な説明】
【０００１】
【考案の属する技術分野】
本考案は、携帯電話のオプション通信機器及び充電用機器接続口に取り付ける接続器具（アダプター）に関するものである。
【０００２】
【従来の技術】
今日、携帯電話のバッテリー充電は通常家庭用の交流電源を使用し直流変換後バッテリーに充電しており、又その充電が不可能な場所等での充電は乾電池、或いは携帯用の発電式充電器等を用い携帯電話のオプション通信機器及び充電用機器接続口に接続して充電しているのが現状である。
【０００３】
そして今日、携帯電話は目覚しい普及と同時にしばしばオプション機器を使用し通信に用いる状況下、そのオプション通信機器使用をする場合於いては充電時に使用している接続口と同じ所にオプション通信機器を接続するため、充電しながらのオプション通信機器の使用は不可能である。
【０００４】
特に昨今、携帯電話にオプション機器を取付け長時間通話や長時間のデータ通信をする場面があり、しかも携帯電話の電源をそのオプション機器も使用するため、携帯電話の電池消耗が早くその通信中にも補充電する場面がしばしば発生している。
【０００５】
【考案が解決しようとする課題】
そこで、携帯電話でのオプション通信機器接続により長時間通話や長時間のデータ通信中であっても携帯電話に充電出来る接続器具を提供する必要がある。
【０００６】
【課題を解決するための手段】
本考案は、図１に示す携帯電話の外部オプション機器接続部及び充電用機器接続部（１）に接続器具（アダプター）図２、図３、図４の各部の接続端子部（２）を挿入することでこれらの接続器具（アダプター）図２、図３、図４はそれぞれ携帯電話と同じ形状のオプション機器接続部（３）、及びそれとは異なる外部接続端子（４）を有しているので複数又は異種の接続端子を備え付けていることになるので携帯電話に複数の外部オプション機器を接続可能になるので同時に携帯電話のバッテリーに充電可能な環境を整えることが出来る。
特に図４は一次電池、或いは二次電池を利用し携帯電話に充電する器具であるが予めオプション機器接続部（３）を備え付けることで充電しながらオプション機器を取り付け使用することが出来る。
【０００７】
【考案の実施の形態】
本考案は、携帯電話の外部オプション機器接続部の接続端子部（２）とオプション機器接続部（３）及び外部接続端子（４）を有することにより形成される。
【０００８】
【実施例】
図１は携帯電話の外観図であって、外部オプション機器接続部及び充電用機器接続部（１）に図５のオプション機器、例えばＩＰ電話用アダプターまたはモデム等を接続したままオプション機器接続部（３）及び外部接続端子（４）を介して充電することが出来る。
【０００９】
携帯電話でのオプション機器接続口は充電用機器接続口と同一であり両方を同時に使用することが出来ない。
しかも、オプション機器を利用しての通信時間はしばしば長時間におよび途中で電池切れが発生してしまう。
【００１０】
本考案品での実際の使用に於いては、外部オプション機器を利用しながら長時間の通信による電池消耗により通信が切断されること無しに補充電出来るものである。
【００１１】
【考案の効果】
以上の構成に基づいて本考案は、近年携帯電話によるＩＰ電話等の長時間通信による電池消耗をその通信を中断する事無く補充電出来る、外部オプション機器接続及び充電用機器接続機器を提供することで通信中の電池切れ防止に貢献できる考案である。
【図面の簡単な説明】
【図１】本考案に供する携帯電話の外観図
【図２】
【図３】
【図４】本考案の接続器具（アダプター）の外観図
【図５】本考案に供する携帯電話のオプション機器（ＩＰ電話アダプター、モデムアダプター等）の外観図
【符号の説明】
（１）　　　携帯電話における外部オプション機器及び充電用機器接続部
（２）　　　接続器具（アダプター）接続端子部
（３）　　　接続器具（アダプター）オプション機器及び充電用機器接続部
（４）　　　接続器具（アダプター）外部接続端子
（５）　　　一次、又は二次電池
【図１】
0003100514.tif 000003
【図２】
0003100514.tif 000004
【図３】
0003100514.tif 000005
【図４】
0003100514.tif 000006
【図５】
0003100514.tif 000007
【手続補正書】
【提出日】平成15年5月9日(2003.5.9)
【手続補正１】
【補正対象書類名】明細書
【補正対象項目名】実用新案登録請求の範囲
【補正方法】変更
【補正の内容】
【実用新案登録請求の範囲】
【請求項１】
一般的な携帯電話用のオプション通信機器接続口は外部充電用接続口としての機能を兼ね備えて居るために、その接続口にＩＰ電話などのアダプター機器を接続した場合、携帯電話に補充電が出来なくなってしまうことを防止する事のできる携帯電話とアダプター機器間に配する接続器具であり、その接続器具は外部電源入力端子を保有し、又は携帯電話専用に補充電する電池パックも直接接続できる機能を有する接続器具である。又、その接続器具は予め充電用一次電池及び二次電池を収納でき、しかもオプション通信機器アダプターを接続できる機能を持つ接続器具も含む。
【手続補正書】
【提出日】平成15年7月23日(2003.7.23)
【手続補正１】
【補正対象書類名】明細書
【補正対象項目名】実用新案登録請求の範囲
【補正方法】変更
【補正の内容】
【実用新案登録請求の範囲】
【請求項１】
一般的な携帯電話用のオプション通信機器接続口は外部充電用接続口としての機能を兼ね備えて居るために、その接続口にＩＰ電話などのアダプター機器を接続した場合において、携帯電話に補充電が出来なくなってしまうことを防止することのできる携帯電話とアダプター機器間に配する接続器具であり、その接続器具は携帯電話と同様の接続口を１個以上備え、その他に外部電源入力端子を保有し、更にはその接続器具内に充電用の電池を収納できる構造をも許容した携帯電話用のオプション機器及び充電機器を同時使用できる接続器具。
(57)【要約】【課題】この考案は　学校の家庭科の授業で被服実習をする際に使用する教材に関するものである。課題として、従来は被服実習の場合、通常、実習時間は決まっていて、製作に時間がかかる教材は選択することが出来なかった。したがって、教師や生徒は製作時間で教材を選択することが通常となっており、製作した教材を選択することができなかった。【解決手段】この考案により、事前に学校で製作したい実習教材を裁断済みにし、縫製済みにすることで、短時間で製作することが出来、先生や生徒が好きな教材を選ぶ事ができるようにした。これにより、希望の教材の選択ができるようになった。【選択図】　図１
0003100513.tif 000002
【実用新案登録請求の範囲】
【請求項１】
学校の家庭科被服実習で、生徒が短時間に製作できるように、裁断ならびに縫製済みにした、家庭科の被服実習教材
【考案の詳細な説明】
【０００１】
【考案の属する技術分野】
学校の家庭科で被服実習をする際に使う教材に関する技術分野
【０００２】
【従来の技術】
従来は被服実習の場合、被服実習時間は限られており、先生や生徒が製作したい教材であっても、授業の時間的制約から希望の教材を選択できなかった。
【０００３】
【考案が解決しようとする課題】
従来の方法では、先生や生徒が製作したい教材であっても、授業の時間的制約から希望の教材を選択できなかった。この考案により、短時間で製作できることにより、希望の教材を選択できるようになった。
【０００４】
【課題を解決する手段】
この考案は、指導要領の範囲内でかつ生徒が実習の意義を十分達成できる範囲内で、生地を裁断ならびに縫製済みにすることによって、生徒が短時間で製作することを可能にした。
【０００５】
【考案の実施の形態】
本案は、以上のような考え方のもと、実習用の布に、ある程度の加工（裁断、縫製）を施した家庭科被服実習教材である。
【０００６】
【考案の効果】
従来、実習したい教材であっても、実習時間の時間的な制約によって選択できなかった教材も、材料となる生地を裁断済みで縫製済みにする事によって、生徒が短時間で製作実習することを可能にした。
【図面の簡単な説明】
【図１】製作前段階図（用例：エプロン）
【図１】
0003100513.tif 000003
【手続補正書】
【提出日】平成15年5月20日(2003.5.20)
【手続補正１】
【補正対象書類名】明細書
【補正対象項目名】実用新案登録請求の範囲
【補正方法】変更
【補正の内容】
【実用新案登録請求の範囲】
【請求項１】
平成１４年度からの新学習指導要領への移行に伴い、中学校技術・家庭科の家庭分野及び高等学校の家庭科（家庭基礎）の時間が削減され、被服製作実習においては、従来実施されてきた本格的なものづくり型の被服製作に代わって、衣服の手入れや補修に関する基礎的な技能（縫い、ボタン付け等）の習得が中心的な学習テーマとなった。今回出願する『基礎縫い練習エプロン』は、新学習指導要領に則した「基礎縫い練習」の学習要件を満足すると同時に、生徒が創意工夫してものづくりに取り組めるよう、また衣服の配色・コーディネートなど新たな学習課題にも対応できるよう、独自の仕様設計で当社が開発した新教材であり、以下のようなユニークな機能・構造面の特徴を備えている。
１）『基礎縫い練習エプロン』は、厳しい時間制約（実習時間１〜２時間）で、学習指導要領に則した基礎縫い練習（縫いの基礎とボタン付け）が実施できるだけでなく、生徒が創意工夫して好みのデザインに仕上げることができるよう、独自の仕様設計を行っている。
２）『基礎縫い練習エプロン』は、従来、基礎縫い練習教材では期待できないと考えられてきた「実用性の高さ」や「完成度の高さ」、また「学習面の達成感」といった教育現場の要求に応えて、本格教材並みの仕上がり仕様を備えている。この仕上がり仕様を満足するために、生徒が創意工夫しながら実習に取り組む部分と、事前に当社で加工（半縫製加工）を施す部分とを、教材づくりの専門的な観点から選り分け、複数の背反的な要求を同時に満足する教材仕様を実現している。
３）『基礎縫い練習エプロン』の構造面の特徴は次のとおりである。
▲１▼基礎縫い練習１：「首ひものボタン付け」。各自のボタン付けの位置決めにより、首ひもの長さを生徒の体格に合わせて調節できるように工夫されている。
▲２▼基礎縫い練習２：「縫いによる裾あげ」。各自の裾あげにより、エプロン丈を生徒の身長に合わせて調節できるように工夫されている。縫いは、実習時間や設備状況に合わせて、「手縫い（まつり縫い）」「ミシン縫い」「手縫い（まつり縫い）とミシン縫いの組み合わせ」のいずれかを選択して取り組めるよう工夫されている。
▲３▼基礎縫い練習３：「縫いによるウエストひも付け」。各自が「後ろ結び」「前結び」のどちらか好みの方を選んでウエストひも（加工済み）を適当な長さにカットし、「手縫い（返し縫い）」「ミシン縫い」のいずれかを選択して縫い付けることができるよう工夫されている。
▲４▼アレンジ用生地による創意工夫：生徒個人の好みに応じて、本体生地（無地色４種バリエーション）とアレンジ用生地（色柄全５１種バリエーション）を組み合わせて選び、デザイン面の創意工夫を行うことができるよう仕様設計されている。アレンジは、　エプロンの用途（調理用、日曜大工用、美術・工芸用等）に合わせてポケットの大きさや形状、縫い付け位置を工夫する、　ポケットと同じ生地を使って首ひもやウエストひもをつくって縫い付ける、　ポケットと同じ生地を使って本体の好みの場所に縁取りをする等、さまざまに工夫することができる。
４）『基礎縫い練習エプロン』は、前に述べたように「実用性の高さ」と「完成度の高さ」を一つの特徴としており、新学習指導要領に則した「各自の体に合った衣服の選択・工夫」や、本体生地とアレンジ用生地との組み合わせ、デザイン加工による「各自に似合うコーディネートの選択・工夫」といった学習テーマにも同時に取り組めるよう配慮されている。
【手続補正書】
【提出日】平成15年7月30日(2003.7.30)
【手続補正２】
【補正対象書類名】明細書
【補正対象項目名】実用新案登録請求の範囲
【補正方法】変更
【補正の内容】
【実用新案登録請求の範囲】
【請求項１】
学校の家庭科被服実習で、生徒が短時間で製作できるように、型紙どおりに生地を裁断、
ならびに時間的・技術的に縫いが、困難な部分を縫製済みにした、家庭科の被服実習教材
。
【手続補正書】
【提出日】平成15年10月20日(2003.10.20)
【手続補正１】
【補正対象書類名】明細書
【補正対象項目名】実用新案登録請求の範囲
【補正方法】変更
【補正の内容】
【実用新案登録請求の範囲】
【請求項１】
学校の家庭科被服実習で、生徒が短時間で製作できるように、型紙どおりに生地を一部裁断、ならびに縫製済みにした、家庭科の被服実習教材。
(57)【要約】【課題】本考案は、インスタントスープの形状を変え、数種類の物をひとつにまとめる事により、諸々の繁雑さを省く事が出来る。【解決手段】本考案は、従来の顆粒状、又は粉末、固形状のインスタントスープをシート状にし、１シートを１ページに見立て、フック型にまとめる事により家庭内の台所で料理本を見る様に好みのスープを選ぶ事が出来るようにしたものである。【選択図】　図１
0003100511.tif 000002
【実用新案登録請求の範囲】
【請求項１】
スープをフリーズドライ化した物をシート状にし１枚を１ページと見立て、数種類のスープを組み合わせ本の様に綴じ込む。雑誌を読むが如くページをめくりながらその日の気分や料理に合うスープ、又、好みに合うスープを選ぶ事が出来るブック型インスタントスープ。
【考案の詳細な説明】
【０００１】
【考案の属する技術分野】
本考案は、１冊の本により必要に応じた物が選べるインスタントスープに関する物である。
【０００２】
【従来の技術】
現在販売されているインスタントスープは殆どが１種類ずつのの販売であり、袋詰め、あるいは袋詰めにした物を箱に入れて販売されている。
【０００３】
【考案が解決しようとする課題】
台所に１冊常備しておく事によって、必要な時に必要な人数分だけ使う事ができ、何種類もの物を買い集めておく必要がなく、１シートずつ薄い保存袋に入れその保存袋を再利用する事によりゴミを減らす事が出来る。
【０００４】
【課題を解決するための手段】
本考案は、数種類のものを１冊にまとめる事により、収納の繁雑さを省く事が出来、保存袋を使用する事により、１回で使いきれない分の保存にも心配がいらない。献立に合うものを選択する事が出来る。
【０００５】
【考案の実施形態】
スープをフリーズドライ化した物をシート状（紙状）にし、１ページ４人前として、４等分に切り分けられる様、縦横にミシン線を入れる。１枚ずつ薄い保存袋に入れ、乾燥剤を入れる。１種類２シートずつとし数種類（例、コーンポタージュ・かぼちゃスープ・ほうれん草スープ等）を１冊分にまとめる。それぞれのシートに出来上がり図（写真）とスープ名を食品衛生法に基づいた色素で印刷する。本の様に表紙をつけ、麦紙裏に目次と使用方法を記入し、本全体をラッピングする。
【０００６】
【実施例】
以下、添付図面に従って一実施例を説明する。図１は表紙装丁例。１はタイトル。２は図、又は写真。表紙裏に目次を入れる。
【０００７】
図２は内容説明図。３はスープ本体。４は保存袋。５は中身が無くなり保存袋として使用する場合に切り取るミシン線。６は保存袋開閉口。７はスープ名。８図、又は写真。９は１人分ずつに分けるミシン線。
【０００８】
【考案の効果】
上述の様に、本考案の食べる本は数種類のスープの詰め合せですが、１冊の本の形にまとめる事により収納を容易にし、料理雑誌などを見るが如く楽しみながら選ぶ事が出来ます。又、従来のインスタントスープの様に袋をゴミとして捨てる事なく保存袋として活用出来ます。贈答品としても意外性があり、喜ばれるものと思われます。
【図面の簡単な説明】
【図１】本考案の本としての外装図である。
【図２】１ページごとの具体的な説明図である。
【符号の説明】
１　タイトル
２　図、又は写真
３　スープ本体
４　保存袋
５　保存袋切り取りミシン線
６　保存袋開閉口
７　スープ名
８　図、又は写真
９　１人分ずつに分けるミシン線
【図１】
0003100511.tif 000003
【図２】
0003100511.tif 000004
【手続補正書】
【提出日】平成15年2月20日(2003.2.20)
【手続補正１】
【補正対象書類名】明細書
【補正対象項目名】請求項１
【補正方法】変更
【補正の内容】
【請求項１】
スーブをフリーズドライ化した物をシート状にし１枚を１ページと見立て、数種類のスープを組み合せ本の形状にしたフック型インスタントスープ。
【手続補正書】
【提出日】平成15年6月3日(2003.6.3)
【手続補正２】
【補正対象書類名】明細書
【補正対象項目名】実用新案登録請求の範囲
【補正方法】変更
【補正の内容】
【実用新案登録請求の範囲】
【請求項１】
インスタントスープをシート状にし一枚を一ページと見立て、本の形状にしたブック型インスタントスープ。
【考案の詳細な説明】
【０００１】
【考案の属する技術分野】
本考案は、シート状にしたインスタントスープをまとめて一冊の本の形状にしたインスタントスープに関する物である。
【０００２】
【従来の技術】
現在販売されているインスタントスープは殆どが顆粒状のものを袋詰めにした物を箱に入れて販売されている。
【０００３】
【考案が解決しようとする課題】
顆粒状のスープは零れやすく、また一食ずつ袋に小分けされており、その度にゴミがでて資源の無駄使いである。従ってシート状にしてまとめる事により、零れるのを防いでさらによりゴミの削減にもつながる事が可能になり前述の欠点を解決しようとするものである。
【０００４】
【課題を解決するための手段】
本考案は、スープを一枚のシート状にし、そのシート状のスープを何枚が作り一冊の本の形状にする。またシート状にする事によってスープをこぼす事無く容易に調理する事が可能になり問題点を解決している。
【０００５】
【考案の実施形態】
スープをシート状にし、一ページ四人前とした場合、四等分に切り分けられる様、縦横にミシン線を入れる。シート状にしたスープを一冊分にまとめる。それぞれのシートに出来上がり図（写真）とスープ名を食品衛生法に基づいた色素で印刷する。
【０００６】
【実施例】
以下、添付図面に従って一実施例を説明する。図１は表紙装丁例。１はタイトル。２は図、又は写真。表紙裏に目次を入れる。
【０００７】
図２は内容説明図。３はスープ本体。４は袋。５はスープ名。６は図、又は写真。７は１人分ずつに分けるミシン線。
【０００８】
【考案の効果】
上述の様に、本考案の食べる本は数種類のスープの詰め合せですが、一冊の本の形にまとめる事により収納を容易にし、料理雑誌などを見るが如く楽しみながら選ぶ事が出来ます。贈答品としても意外性があり、喜ばれるものと思われます。
【図面の簡単な説明】
【図１】本考案の本としての外装図である。
【図２】１ページごとの具体的な説明図である。
【符号の説明】
１　タイトル
２　図、又は写真
３　スープ本体
４　袋
５　スープ名
６　図、又は写真
７　１人分ずつに分けるミシン線
【手続補正３】
【補正対象書類名】図面
【補正対象項目名】全図
【補正方法】変更
【補正の内容】
【図１】
0003100511.tif 000005
【図２】
0003100511.tif 000006
(57)【要約】【課題】従来釣りをするときに、釣り竿から釣り糸を垂らし糸の先端に針を付けて釣りをする、魚が釣り針をくわえたときその力が釣り糸を通り釣り竿に連動され手元に伝わって釣り竿を上げることにより反応の良し悪しによって魚が釣れたり又は逃げたりしていた。【解決手段】スプリング付き釣り針は、釣り針の先端の糸の結び穴２に釣り糸６を結びスプリング付き釣り針１を付け、釣りをすることにより魚がスプリング付き釣り針１の針の先５をくわえた時にスプリング３が延びることにより反発の力がスプリング３に連動的に加わり魚が釣れる。【選択図】　図２
0003100515.tif 000002
【実用新案登録請求の範囲】
【請求項１】
本考案のスプリング付き釣り針は、釣り針の先端の糸の結び穴２に釣り糸６を結びスプリング付き釣り針１を付け、釣りをすることにより魚がスプリング付き釣り針１の針の先５をくわえた時にスプリング３が延びることにより反発の力がスプリング３に連動的に加わり魚が釣れる。
以上の文章を本考案の請求項といたします。
【考案の詳細な説明】
【０００１】
【考案の属する技術分野】
スプリング付き釣り針１の、釣り糸の先端の、糸の結び穴２に糸を結び、スプリング付き釣り針１を使って釣りをするとき魚がスプリング付き釣り針１の針の先５くわえたときに、スプリング３が延びることにより反発の力がスプリング３に連動的に加わり魚が釣れる。
【０００２】
【従来の技術】
従来釣りをするときに、釣り竿から釣り糸を垂らし糸の先端に針を付けて釣りをする、魚が釣り針をくわえたときその力が釣り糸を通り釣り竿に連動され手元に伝わって釣り竿を上げることにより反応の良し悪しによって魚が釣れたり又は逃げたりしていた。
【０００３】
【考案が解決しようとする課題】
釣り針の先端を魚がくわえた時に釣り針の先端をいかに速く返すことができるかが、本考案が解決しようとしている課題である。
【０００４】
【課題を解決するための手段】
スプリング付き釣り針１の針の先５を魚がくわえたときスプリング３が延び、その瞬間スプリング３に縮もうとする力が針の先５に加わり魚が釣れる。
【０００５】
【考案の実施の形態】
釣りの糸の先端にスプリング付き釣り針１を付け、スプリング付き釣り針１の針の先５を魚がくわえることによりスプリング３が延び逆にスプリング３が縮む力を利用して魚を釣る。
【０００６】
【実施例】
釣り糸６の下部にスプリング付き釣り針１を付け、魚を釣ることにより針の先５をくわえた魚がスプリング３により反発の力が針の先５に伝わる。
【０００７】
【考案の効果】
スプリング付き釣り針１の針の先５を魚がくわえスプリング付き釣り針１を引いたときにそれに相対する逆の力がスプリング３によって加わることによって魚が釣れる。
【図面の簡単な説明】
【図１】（イ）スプリング付き釣り針の拡大図
【図２】（ロ）スプリング付き釣り針の拡大図
【符号の説明】
１　スプリング付き釣り針
２　糸の結び穴
３　スプリング
４　ふところ
５　針の先
６　釣り糸
【図１】
0003100515.tif 000003
【図２】
0003100515.tif 000004
(57)【要約】【課題】卓上で土鍋料理をする際、途中から食材を追加すると煮えた食材と煮えてないものとの区別が困難だったが、土鍋に仕切りをつけることにより、煮立った食材と新しいものとをはっきり区別ができるようにする。【解決手段】ステンレスの薄板２枚をスライドできるようにし、大きさが違う土鍋の内径に合う形状にする。また、垂直に立つように両側に翼を付けて、土鍋の内側にぴったり装着できるようにする。【選択図】図４
0003100516.tif 000002
【実用新案登録請求の範囲】
【請求項１】
土鍋を２分割して鍋料理をする際に新しく追加した食材を分割した一方で調理し、すでに煮立った食材と区別する器具。
【請求項２】
２個の部分をスライドさせることで、どの大きさの土鍋でも使用できる器具。
【考案の詳細な説明】
【０００１】
本器具はステンレススチールを使って土鍋を２分割し、卓上で調理する際、最初は全体で調理し、一方から食べ、なくなれば食材を入れて調理し、片方の煮上がった食材を食べる。これを交互にくりかえすことにより、食材を追加するたび、煮えるのを待つことなく、また、煮えていないものと煮えたものとを間違えることもない。また、途中で麺類を追加するときも片方に入れることにより食材と麺類をはっきり区別して鍋料理を楽しむことができる。
【０００２】
本考案は２枚のステンレスの板をスライドすることにより、２，３人用から５、６人用の大きさの土鍋に適応するようにした。
【図面の簡単な説明】
【図１】正面図（使用しないときの状態の図）である。
【図２】正面図（スライドして長さを伸ばし、土鍋に装着した状態の図）である。
【図３】土鍋に装着したときの平面図である。
【図４】土鍋に装着したときの見取り図である。
【符号の説明】
１土鍋に装着するときの取手。
２本体を垂直に立てるための翼。
３土鍋
【図１】
0003100516.tif 000003
【図２】
0003100516.tif 000004
【図３】
0003100516.tif 000005
【図４】
0003100516.tif 000006
【手続補正書】
【提出日】平成15年8月9日(2003.8.9)
【手続補正１】
【補正対象書類名】明細書
【補正対象項目名】実用新案登録請求の範囲
【補正方法】変更
【補正の内容】
【実用新案登録請求の範囲】
【請求項１】
２枚のステンレス板をスライドすることにより、長さを調節可能な構造を有することを特徴とする土鍋分割仕切り器具。
【請求項２】
前記２枚の板の下部には、本体を垂直に立てるための翼が設けられている。
【手続補正書】
【提出日】平成15年10月17日(2003.10.17)
【手続補正１】
【補正対象書類名】明細書
【補正対象項目名】請求項２
【補正方法】変更
【補正の内容】
【請求項２】
前記２枚の板の下部に、本体を垂直に立てるための翼を設けたことを特徴とする請求項１に記載の土鍋分割仕切り器具。
(57)【要約】　　　（修正有）【課題】従来のワイシャツは、前部分がボタンによって脱着可能としている。考案されたワイシャツは、素早く脱着可能とすること。【解決手段】ワイシャツの前ボタン部分の外側と内側の両面に上から下え長さ約４５センチ幅０．５ミリのチャクを縫製し、素早く脱着可能とするワイシャツである。【選択図】図１
0003100517.tif 000002
【実用新案登録請求の範囲】
【請求項１】
ワイシャツの前ボタン部分の外側内側の両面に（襟元）上から下え長さ約６０センチ、幅０．５ミリのチャクを縫製し、素早く、脱着可能とするワイシャツである。
【考案の詳細な説明】
【考案の詳細な説明】
【０００１】従来のワイシャツは前部分がボタンによって、脱着可能としてある。考案されたワイシャツは前ボタン部分の内側と外側の合わせの部分に襟元から下へ約６０センチ、幅０．５ミリチのチャクを縫製し素早く脱着を可能とし、又、身体障害のある人にも脱着の不便さを解決する為のワイシャツである。［考案の属する技術分野］
【０００２】考案されたワイシャツは、前ボタン部分の外側内側の両面に（襟元）上から下え、長さ約６０センチ、幅０．５ミリのチヤックを縫製し素早く脱着可能とするワイシャツである。［従来の技術］
【０００３】従来のワイシャツは、前部分をボタンによって脱着可能する。［考案が解決するための手段］
【０００４】従来のワイシャツは、前部分が襟元から下えボタンによって脱着可能としいる。その為、多少の時間がかかり、又何等かの原因によって、身体障害になられた方の為、素旱く脱着可能とする為、前部分のボタンの合わせ部分の内側と外側にチヤックを縫製し素早く、脱着可能とするワイシャツである。［課題を解決するための手段］
【０００５】従来のワイシャツは前部分の所がボタンによって、脱着可能としている。考案された、ワイシャツは前部分をチヤックを縫製し脱着を素早く可能とするものである。［実施例］
【０００６】
【０００７】［考案の効果］
【０００８】
【０００９】従来のワイシャツは、前部分のところがボタンによって、脱着可能としている。考案されたワイシャツは、素早く脱着を可能とし、又何等かの原因によって身体障害になられている方々（特に手等）にとっては不便解決するワイシャツである。
【図面の簡単な説明】
【００１０】
【図１】［前ボタン部分とチヤックを縫製する部分］
【図２】［チヤックを縫製する右側部分と左側部分］
【符号の説明】
【００１１】（１）前ボタンの部分（２）前ボタン部分の右側（前部分を合わせると下側）（３）前ボタン部分の左側（前部分を合わせると上側）（４）前ボタン部分の右側に０．５ミリ幅のチヤックを縫製する。（５）前ボタン部分の左側に０．５ミリ幅のチヤックを縫製する。
【図１】
0003100517.tif 000003
【図２】
0003100517.tif 000004
【手続補正書】
【提出日】平成15年9月30日(2003.9.30)
【手続補正１】
【補正対象書類名】実用新案登録請求の範囲
【補正対象項目名】全文
【補正方法】変更
【補正の内容】
【実用新案登録請求の範囲】
【請求項１】
ワイシャツの前ボタン部分の外側と内側の両面に上から下え長さ約４５センチ幅０．５ミリのチャクを縫製し、素早く脱着可能とするワイシャツである。
(57)【要約】　　　（修正有）【課題】注入開口を真円にした、壁コンクリート注入装置を提供する。【解決手段】注入装置ベース板１の注入開口Ａ″に配管用溶接継手４５°Ｂを溶接で固定し、その上に配管用鋼管Ｃ″、Ｄを確実に溶接で固定する。【選択図】図６
0003100520.tif 000002
【実用新案登録請求の範囲】
【請求項１】
　注入口を真円にした壁コンクリート注入装置
【考案の詳細な説明】
【考案の詳細な説明】
　この考案は注入開口を真円にしたものである。
0003100520.tif 000003
くために考案されたものである。
0003100520.tif 000004
　このようにすることにより、各部品の標準化が可能になり、組立コストの削減につながった。
【図面の簡単な説明】
【図１】従来からある圧入装置の平面図である。
【図２】圧入装置の下面図である。
【図３】圧入装置の右側図面と注入管の要部断面図である。
【図４】注入口を真円にした注入装置の平面図である。
【図５】注入口を真円にした注入装置の下面図である。
【図６】注入口を真円にした注入装置の右側図面と注入管の要部断面図である。
【図７】圧入装置の取付要部斜視図である。
【図８】圧入作業の要部斜視図
【符号の説明】
Ａ、Ａ″注入開口
Ｂ、配管用溶接継手４５°
Ｃ、Ｃ″構造用鋼管
Ｄ、継手
１、ベース板
２、弁板
３、横本体枠
４、縦本体枠
５、弁板開閉用ハンドル
６、開閉軸
７、スプリング
８、軸受
９、ボールトナット
【図１】
0003100520.tif 000005
【図２】
0003100520.tif 000006
【図３】
0003100520.tif 000007
【図４】
0003100520.tif 000008
【図５】
0003100520.tif 000009
【図６】
0003100520.tif 000010
【図７】
0003100520.tif 000011
【図８】
0003100520.tif 000012
(57)【要約】
【課題】従来のフライパンの形状において、ガスコンロ等で加熱をした場合、熱がフライパン本体外周側面を伝わり逃げてしまい、熱伝達が有効に使われず無駄を生じていた。
【解決の手段】フライパン本体１に受ける熱源を有効的に活用する為に、フライパン本体側面外周部に環状熱受板３を設けることにより、対流熱は受板に伝達されることになり、フライパン全体に均一且つ有効的に熱伝達される効果を得ることになる。
【選択図】　図１
0003100566.tif 000002
【実用新案登録請求の範囲】
【請求項１】
本体と取っ手から構成されるフライパンにおいて、フライパン本体の側面周縁部外周に下方向へ延出する傾斜を持たせた環状熱受板部を具備したことを特徴とするフライパン。
【考案の詳細な説明】
【技術分野】
【０００１】本考案は一般家庭用に使用されるフライパンにおいて、熱伝達効率を改善させたものである。
【背景技術】
【０００２】従来のフライパン本体においては図３に示すように、フライパン本体周縁底面部はＲを伴う周縁側面形状のみの構造であった。
【考案の開示】
【考案が解決しようとする課題】
【０００３】従来のフライパンにおいては、本体外周側面に熱受けを役目とする環状熱受板部が備わっていない為、ガス調理器等により調理熱が図３の如く本体側面を伝わり逃げてしまい、熱効率が有効に使われず無駄を生じていた。
【考案を解決するための手段】
【０００４】調理時におけるフライパンに受ける熱効率を有効に活用する為に考案されたもので、フライパン本体外周側面から逃げる熱を、本体側面周縁部に環状熱受板部をスポット溶接又は溶接等の手段で固定し具備した構成を採用した。
【考案の効果】
【０００５】本考案は、調理熱を効率且つ有効に伝達する目的の環状熱受板部を当核フライパン本体外周側面部に設けることにより、図４の如くフライパン本体に設けられた環状熱受板に対流熱が留まることで、均一に熱伝達され熱効率ロスを無くす効果が得られると共に、フライパン内面全体にムラなく加熱される効果も得られる。
【考案を実施するための最良の形態】
【０００６】図１に示すように取っ手２の付いたフライパン本体１の側面外周部に下方向に延出する傾斜を持たせた環状熱受板３をスポット溶接又は溶接等の手段により固定した構成になっている。
【図面の簡単な説明】
【０００７】
【図１】　本考案におけるフライパン本体の下方向から見た斜視図
【図２】　本考案におけるフライパン本体の正面図
【図３】　従来におけるフライパン本体の正面図及び熱対流作用図
【図４】　本考案におけるフライパン本体の断面図及び熱対流作用図
【符号の説明】
【０００８】　１　フライパン本体
　２　取っ手
　３　環状熱受板部
　４　熱対流
【図１】
0003100566.tif 000003
【図２】
0003100566.tif 000004
【図３】
0003100566.tif 000005
【図４】
0003100566.tif 000006
(57)【要約】
【目的】この考案は、排煙効率が高く、ダクト内への油分流入を防いだ排煙フードに関するものである。
【構成】ストレートダクト（１）の内部にサイクロン（２）を取り付け、そのストレートダクト（１）の下部に油受けリング（３）を取り付ける。
【選択図】図１
0003100568.tif 000002
【実用新案登録請求の範囲】
【請求項１】
（イ）　ストレートダクト（１）の中に、サイクロンを取り付ける。
（ロ）　（イ）のストレートダクトの下部に油受けリングを取り付ける。
以上の如く構成された、排煙フード
【考案の詳細な説明】
【考案の詳細な説明】
【産業上の利用分野】
【０００１】この考案は、ストレートダクトにサイクロンと油受けリングをとりつけた、排煙フードに関するものである。
【背景技術】
【０００２】従来、有煙の焼き物器等の排煙には、さまざまなフードが作られているが、充分な排煙をおこなえるものは少なく、加えてダクト内への油分の流入を防ぐ処置がなされているものは少ない。
【考案が解決しようとする課題】
【０００３】本考案は、ダクト内への油分流入を防ぎ、充分な排煙効果のある排煙フードの開発をしようとするものである。
【課題を解決しようとする為の手段】
【０００４】その構成を図面をおって、説明すると
（イ）ストレートダクト（１）の内部にサイクロン（２）を取り付ける。
（ロ）このストレートダクト（１）の下部に油受けリング（３）を取り付ける。
【作用】
【０００５】本案は、以上のような構造であるので、これを使用する時は、本案の排煙フードを送風機にダクト接続し、有煙調理器の上部に配置する。
吸引口まで、細いストレートダクトを使用することにより、邪魔にならずに調理器の近くまで、下げることができる。
吸引した油煙は、サイクロンを通過する再流れを変え、渦巻き状にダクト壁にぶつかり、油分をダクト壁に残して通過していく。
尚、落下した油分は、油受けリングにたまり、調理器上に落ちることはない。
【実施例】
【０００６】本考案のストレートダクトを２分割にして、取外しが出来るように構成すると、内部の掃除が容易で、調理器を使用しない時には、取り外しておくことも可能である。
【考案の効果】
【０００７】以上のように、吸引口を下げることにより、排煙効果を高め、加えて油分をサイクロン近くのダクト壁面に残すことにより、ダクトや送風機への油分の流入をふせぐことができるのである。
【図面の簡単な説明】
【図１】本考案の構造を表した斜視図
【図２】本考案の使用斜視図
【符号の説明】
１．ストレートダクト　　２．サイクロン　　３．油受けリング
４．防火ダンパー　　　　５．送風機　　　　６．調理器
【図１】
0003100568.tif 000003
【図２】
0003100568.tif 000004
(57)【要約】【課題】蝿・虫等を防御する漬物樽。【解決手段】樽の淵に設けた溝に南蛮油を塗布する事により其の揮発分で蝿・虫を防御できる様にした。【選択図】　図２
0003100567.tif 000002
【実用新案登録請求の範囲】
【請求項１】
　樽の淵に溝を設け其の溝に南蛮油を塗る事により蝿・蛆等を寄せ付けない漬物樽。
【考案の詳細な説明】
【技術分野】
【０００１】本考案は、匂い等により集まる蝿・虫等を寄せ付けない漬物樽に関するものである。
【背景技術】
【０００２】　　長期保存漬物（１例　沢庵漬け・魚の糠漬け　等）の場合比較的大型容器を用いる。一般に防虫装備された場所がないため虫が樽の中に入らない様にビニールで覆って紐でしばるとか色々工夫をしているが、中の品物を取り出すとき其の都度その作業を繰り返すことになるが一寸でも気を抜くと蝿が来て蛆の発生を来たす。又漬物を漬ける時最初漬物材料が生の為大きな重石を用いる。図１・▲１▼に示す様にこの時重石が樽の淵より飛び出して蓋が掛からない状態となるとか、図１・▲２▼漬込み専用の蓋もあるが、漬物材の量又は重石の大きさにより樽と漬蓋との間に隙間ができ蝿・虫に対する防御の仕様がなくなる。
【考案の開示】
【考案が解決しようとする課題】
【０００３】　　解決しようとする点は、其の樽に蝿や虫がより着かなければ蛆の発生も防ぐことが出来衛生上蝿や虫の運ぶ菌を阻止出来ると言う点である。
【課題を解決しようとする課題】
【０００４】　　本考案は樽の中身から発する匂い等に蝿虫が寄生しようにも樽の淵から発する南蛮油の揮発物で寄り付けない樽である事が大きな特徴となる。
【考案の効果】
【０００５】　　本考案の漬物樽は淵に設けた溝に南蛮油を刷毛で塗るだけで良く、南蛮油は万が一、中の食品に混入しても心配はなく蝿が出てくる時期になったら一塗り塗れば安心して居られる利点があり、漬物を漬ける時蓋をしていなくともビニールの風呂敷で軽く覆うだけ（図３▲１▼）、又樽と漬蓋との間に隙間（図３−▲２▼）があっても蝿がまったく寄り付かないと言う効果がある。
【考案を実施するための最良の形態】
【０００６】　樽を成型する時その淵図２・ｃを図２・ｄの溝ができる様に作り其の溝に誰でも簡単に作れる南蛮油を塗る事により蝿・蛆防御を実現した。
【実施例１】
【０００７】　図２は本考案の断面図とその考案部分の断面詳細図であって、樽ａの開口淵の周りに溝ｃを設ける。【０００８】　溝ｃは樽蓋ｂとの間にｄ・ｅなる隙間を持たせてあり溝ｃに塗られた南蛮油の揮発物が常に放出させる為であり、これにより蝿・虫を防ぐのである。【０００９】　南蛮油は小鍋に５０ｃｃ位の食用油に大サジ一杯の一味唐辛子を入れ火にかけ一味唐辛子が黒く変色すれば出来上がりである。この南蛮油を刷毛で溝ｃに塗布する。
【産業上の利用可能性】
【００１０】　最近家族構成も小人数化して一夜漬け等の漬物が多い中、保存食としての漬物は野菜、魚介、肉にかかわらず古来からの大切な食物としての位置をしめている。其の漬物を管理する面で手数が省ける事になる。
【図面の簡単な説明】
【０００９】
【図１】在来行われている漬物の漬け方を示した図である。
【図２】本考案の漬物樽の断面図及び断面詳細図である。「実施例１」
【図３】本考案の樽を実際使用した場合の図である。
【符号の説明】
【００１０】ａ漬物樽本体ｂ樽蓋ｃ樽淵ｄ南蛮油塗布用溝ｅ通気溝ｆ通気溝
【図１】
0003100567.tif 000003
【図２】
0003100567.tif 000004
【図３】
0003100567.tif 000005
(57)【要約】
【目的】　ポリ容器の中に凹部を具備することにより収納が簡単で便利なポンプ収納装置を提供する。
【構成】　筒状体（２）の断面形状と同一寸法に頂部を抜き取ったポリ容器（１）の蓋（３）をその筒状体（２）の上部に接合し、かつ、同筒状体（２）の下部に底（５）を設けることを特徴とする。
【選択図】　　　図１
0003100565.tif 000002
【実用新案登録請求の範囲】
【請求項１】
　頂部を抜き取ったポリ容器（１）の蓋（３）に底（５）を設けた筒状体（２）の上部を接合してなるポンプ収納装置。
【請求項２】
　一体成型した請求項１のポンプ収納装置。
【考案の詳細な説明】
【考案の詳細な説明】
【産業上の利用分野】
【０００１】　この考案は、ポンプ収納装置の付いたポリ容器の蓋に関するものである。
【背景技術】
【０００２】　従来、ポリ容器の給排口にかけて吊り下げるポンプ収納袋があった。
【考案が解決しようとする課題】
【０００３】　これは、次のような欠点があった。
（イ）　ポンプの収納が面倒であった。
（ロ）　ポンプを収納する度に手が汚れた。
　本考案は、これらの欠点を省くために為されたものである。
【課題を解決するための手段】
【０００４】　筒状体（２）の断面形状に合わせて頂部を抜き取ったポリ容器（１）の蓋（３）を、その筒状体（２）の上部に接合し、かつ同筒状体（２）の下部に底（５）を設ける。
　本考案は、以上のような構成よりなるポンプ収納装置である。
【作用】
【０００５】　ポリ容器の一方の給排口の中に筒状体（２）を入れて固定する。すると、ポリ容器（１）の中に筒状体（２）の凹部が確保されてポンプ収納装置を形成する。
【実施例】
【０００６】　以下、本考案の実施例について説明する。
（イ）　外径がポリ容器（１）の給排口に入る寸法で、長さがポリ容器（１）より短い寸法の筒状体（２）を用意する。
（ロ）　ポリ容器（１）の蓋の頂部を筒状体（２）の断面形状に合わせて同一寸法に抜き収る。
（ハ）　その蓋を筒状体（２）の上部に接合する。
（ニ）　筒状体（２）の下部に底（５）を設ける。
　本考案は、以上のような構造であり、その筒状体（２）をポリ容器の一方の給排口の中に入れて固定してポンプ収納装置を形成する。
　収納は同筒状体（２）の中にポンプを差し込む事よって行なわれる。
　なお、上述した構造の筒状体（２）は一体成型してもよい。
【考案の効果】
【０００７】　ポリ容器の蓋の凹部に差し込むことによりポンプの収納が出来るので非常に便利である。
【図面の簡単な説明】
【図１】　本考案の横断面図である。
【符号の説明】
　　　　１　ポリ容器
　　　　２　筒状体
　　　　３　頂部を抜き取ったポリ容器の蓋
　　　　４　蓋
　　　　５　筒状体の底
【図１】
0003100565.tif 000003
(57)【要約】      （修正有）【課題】従来の電気・ガスの炊飯器の金属性蓋に付着する水滴をなくし、炊飯中に、十分に水分が吸収されたご飯に仕上げ、炊き上がり後の、米ヌカの匂いを無くして、外観を、昔ながらの、かまど型にした、電気・ガスを熱源とした炊飯器を提供する。【解決手段】昔ながらの、かまどに薪を燃やして炊いた、ご飯の美味しさを再現する為、既存の電気・ガス炊飯器の蓋を木製にして、炊飯中に釜の中に発生した蒸気を蓋に吸収させる事により、蓋に重みを増して釜の中が密閉状態となり、米に圧力が加えられた状態で炊き上げるため、粒の大きな、ふっくらしたご飯が炊けるようにした。従来の金属製蓋の炊飯器に見られた蓋の裏に付着した水滴は、木製蓋には一滴も付着しない。木製蓋の、内側に窪み部分を設け、中に活性炭を入れる事により、米ヌカの匂いはなくなり、炊飯器の外観を、昔ながらの、かまど型の台にした。【選択図】図１
0003100802.tif 000002
【実用新案登録請求の範囲】
【請求項１】
電気、ガスを熱源４とした炊飯器３に、厚みのある木製の蓋１を使い、内側に、活性炭を添着２出来るようにして、外観５を、かまど型にした炊飯器。
【考案の詳細な説明】
【考案の詳細な説明】
【考案が解決しょうとする課題】
【０００１】  従来、電気・ガス使用の炊飯器の蓋は、全て金属性で出来ており、炊き上がり後、蓋裏に水滴が溜まり、炊飯中に、米に十分な水分を吸収しきれないで、米の旨みを低下させる問題点を有していた。
又、炊き上がりご飯の米ぬかの匂いを、取り除けば、食感も向上する。外観を、昔ながらのかまどで薪を燃やして、炊き上げた美味しさを連想させる、かまどの型にし、熱源に電気・ガスを使用した炊飯器。
【課題を解決するための手段】
【０００２】  上記目的を達成する為に、金属製の炊飯器の蓋の代わりに、、厚みのある木製の蓋にして、蓋は、炊飯釜の中に落ち込むようにして、炊飯中の蒸気で木製の蓋が水分を吸収し、蓋と、釜の間が密閉状態となり、釜の中のご飯を炊く。
蓋の内側に、活性炭を取り付ける為の、くぼみを設け、活性炭は定期的に交換できるようにした。
炊飯器の外観を、かまど型に仕上げた。
【考案の効果】
【０００３】  炊飯器に厚みのある木製の蓋を用いることにより、炊飯中に、発生する蒸気を、木製蓋が吸収し蓋に、さらに重みを増し、炊飯器内は、熱源と圧力により密閉状態となり、強力に炊飯するため、炊き上がりのご飯は、中心より盛り上がって、ふくらみがあり、金属性蓋に、付着した水滴は、木製蓋の内側には一滴も付着しない。炊飯中にお米が全ての水分を吸収し、粒の大きなご飯に炊き上がる。
木製蓋内側に取り付けた活性炭により、米ヌカ特有の匂いを、炊飯中に取り除いてくれる。
この炊飯方法は、古来からの、かまど炊きに由来し、民族が食生活の中で築き上げた知恵と、技法であり、家の神様が宿ると言い伝えられ、神聖な場所として奉られてきた。外観を、由緒ある、かまど型炊飯器とした。
【図面の簡単な説明】
【図１】  本考案の断面図
【図２】  本考案の各部を分割した断面図  １  木製の分厚い蓋  ２  活性炭を入れる部分  ３  炊飯用の釜  ４  電気・ガスの熱源  ５  かまど型炊飯器の台
【図１】
0003100802.tif 000003
【図２】
0003100802.tif 000004
(57)【要約】      （修正有）【課題】平面上の形が一定で厚さが異なる品物を、簡単な方法で定着収納できる便利な容器を提供する。【解決手段】ケース前面１ａとケース後面１ｂが合わされているケース本体１の左右端部を帯状に残した切り溝２が有り、帯状の中央部分をケース前面１ａと後面１ｂを合わせて接合する。収納品４を容器に収納すると、帯状の左右側面がＸ型になり、ケース前面１ａ並びに後面１ｂの両端帯状部分が容器の側面となる構造にする。【選択図】図２
0003100803.tif 000002
【実用新案登録請求の範囲】
【請求項１】
ケース前面１ａとケース後面１ｂが、一体となって重ね合わされているケース本体１があり、その左右端部を帯状に残した切り溝２を作り、帯状にした部分の中央一部３をケース前面１ａとケース後面１ｂを重ね合わせて接合した容器の構造。
【考案の詳細な説明】
【技術分野】
【０００１】この考案は、平面上の形が一定で、厚みの異なる品物を収納する容器にかかわるものである。
【背景技術】
【０００２】平面上の形が定まっている、写真、名刺等を収納する場合、枚数によって厚さが異なるとき、厚さによって適合する容器を多数用意しなければならない。又、容器の大きなものを用い少量のものしか入れない場合、内部の品物が移動し、音を出したり、傷をつけることもある。空間を無くすものを用意することもある。
【考案の開示】
【考案が解決しようとする課題】
【０００３】平面上の形が一定であっても、厚さが異なる品物を収納する時、それぞれに適合する容器を用意するか、大きい容器で共通させて用いるしかない。厚さに応じて適合した容器を、数多く用意することは、不便なことであり、大きい容器で共通させることも、問題が多い。
【課題を解決するための手段】
【０００４】写真、名刺等、平面上の形が一定であっても、枚数が多くなれば、厚さも当然大きくなる。従って、理想的な容器は、厚みに応じて、容器の容積が変わるようにすればよいことになる。本考案の容器は、品物の厚さに応じて、容器の左右側面の巾が可変し、自由に容器の容積が変わるようにしたものである。【０００５】プラスティック、厚紙等の薄くて硬い素材を用い、四角形のものを二つ折りにして、折り目を下にして容器の底部とする。ケース上面、下面を重ね合わせ、左右端部をケースの側面となるよう帯状に残して切り溝を作り、その帯状の中央部分をケース上下面、重ね合わせて接合する。このようにして品物をケース内に入れると、ケースの帯状の部分が側面側から見ると、Ｘ型状になり、ケースの側面となる。帯状の側面は、内部の品物の厚さに応じて開閉する。
【考案の効果】
【０００６】帯状の側面は、内部の品物の厚みに応じて可変する。そして、側面の素材のバネ作用によって品物を挟むように密着し、定着収納する。即ち本考案の容器は、収納する品物の厚さに応じて容積が可変し、当初の課題を満足できるものである。
【考案を実施するための最良の形態】
【０００７】本考案のケースは、ケースの前面後面の、左右両端の一部が側面となり、品物の厚みに応じて側面が開閉する構造になっているため、材料として、薄くて硬いプラスティック、厚紙等で作製することが望ましい。又、側面の開閉は無制限に開くわけでは無いので、当初、品物の最大厚みを設定し、厚みの大小によって、帯状の部分の長さを定めなければならない。
【実施例】
【０００８】図１は、この考案の実施例を示すもので（ａ）は平面図で、（ｂ）は、側面より見た図である。図において、１はケース本体を示し、２はケース本体の左右両端に、ケース前面１ａと後面１ｂを重ね合わせて、同じように切り込んだ切り溝である。３はケース側面となる帯状の部分の中央部分をケース前面１ａと後面１ｂを合わせ、接合した部分を示したものである。【０００９】図２は、この考案で構成された容器の作用説明図である。４は、容器に収納した品物を示すものである。（ａ）は、容器に品物を収納した平面図で、（ｂ）は側面の状態を示す図である。容器に品物を入れると、中央部分が脹らみ、容器の両端にある帯状の部分がＸ型に広がり、容器の側面になる。ケースは、薄くて硬い板状の素材で作られているので、側面のバネ作用によって品物は、ケース前面１ａと後面１ｂの間に挟まれるように収納される。そのため品物と容器は密着し定着する。
【産業上の利用可能性】
【００１０】この考案による容器は、平面状の形が一定で、厚さの異なる品物を収納するのに適している。例えば、現像された写真を受け渡す容器として、或は、保存する場合等、枚数の定まらないものに便利に用いることができる。又、名刺、各種カード類の収納に適したもので、利用できる分野は多数考えられる。
【図面の簡単な説明】
【００１１】
【図１】この考案の実施例で（ａ）はケース本体１の平面図で（ｂ）は、側面図である。
【００１２】
【図２】この考案の実施例の作用説明図である。（ａ）はケース本体１の平面図で収納品４をケース本体１に収納した状態を示し、（ｂ）はその状態を側面から見た図で、帯状の側面がＸ型になって、品物４を収納している状態を示したものである。
【符号の説明】
【００１３】１  ：ケース本体
１ａ：ケース前面
１ｂ：ケース後面
２  ：切り溝
３  ：接合部
４  ：収納品
【図１】
0003100803.tif 000003
【図２】
0003100803.tif 000004